(57)【要約】      （修正有）【課題】ＩＣメモリカードの役割を果たすと共に、無線ＲＦシステムタグのデータが非法にアクセスされることを回避するための無線ＲＦ（Ｒａｄｉｏ  Ｆｒｅｑｕｅｎｃｙ）システムタグを備える人形を提供する。【解決手段】人形１００は、主要な１つの人形本体１１０と１つの無線ＲＦシステムタグ１２０を含む。無線ＲＦシステムタグ１２０は人形本体１１０にある１つの素子設置区域１１１に設置されて少なくとも１つの薄膜基板１２１と１つのチップ１２２を有する。薄膜基板１２１は１つの上表面１２１ａ、少なくとも１つのアンテナ１２１ｃ、１つの第一接続パッド１２１ｄ及び１つの第二接続パッドを有する。チップ１２２は薄膜基板１２１の該上表面１２１ａに設置されて薄膜基板１２１の第一接続パッド１２１ｄ及び該薄膜基板１２１の中央付近に配置された第二接続パッドと電気接続している。【選択図】図４
0003146188.tif 000002
【実用新案登録請求の範囲】
【請求項１】
１つの人形本体として、少なくとも１つの素子設置区域を有すると共に、１つの無線ＲＦシステムタグとして、素子設置区域に位置し、且つ１つの薄膜基板として、１つの上表面と１つの下表面と少なくとも１つのアンテナと、１つの第一接続パッド及び１つの第二接続パッドを有し、１つのチップとして、薄膜基板の該上表面に設置されて薄膜基板の第一接続パッド及び第二接続パッドと電気接続していることを特徴とする無線ＲＦシステムタグを備える人形。
【請求項２】
前記無線ＲＦシステムタグは、１つの発光ダイオードを含み、この発光ダイオードは前記薄膜基板と電気接続していることを特徴とする請求項１記載の無線ＲＦシステムタグを備える人形。
【請求項３】
前記無線ＲＦシステムタグは、１つの発声器を含み、この発声器は前記薄膜基板と電気接続していることを特徴とする請求項１記載の無線ＲＦシステムタグを備える人形。
【請求項４】
前記人形本体は、１つの内壁と１つの外壁を有し、前記素子設置区域には１つの収容溝部を有することを特徴とする請求項１記載の無線ＲＦシステムタグを備える人形。
【請求項５】
前記収容溝部は、前記外壁に形成されていることを特徴とする請求項４記載の無線ＲＦシステムタグを備える人形。
【請求項６】
前記収容溝部は、前記内壁に形成されていることを特徴とする請求項４記載の無線ＲＦシステムタグを備える人形。
【請求項７】
前記人形本体は、１つの内壁と１つの外壁と少なくとも１つのスルーホールを有し、このスルーホールは人形本体の内壁と外壁を貫通していることを特徴とする請求項１記載の無線ＲＦシステムタグを備える人形。
【請求項８】
前記人形本体は、１つの内壁と１つの外壁とこれら内壁と外壁を貫通する少なくとも１つのスルーホールを有し、このスルーホールは発光ダイオードに照準を合わせることを特徴とする請求項２記載の無線ＲＦシステムタグを備える人形。
【考案の詳細な説明】
【技術分野】
【０００１】
本考案は、人形に関し、特に一種の無線ＲＦシステムタグを備える人形に関するものである。
【背景技術】
【０００２】
一般に、販売の促進と会社評判の上昇との目的で企業は企業人形を販売策略に結合し、人形を介し購買力を高めるようにしている。
【考案の開示】
【考案が解決しようとする課題】
【０００３】
しかしながら、観賞用だけである人形より少しでも実用性を備える人形を提供した方が効果的である。
【０００４】
そこで、本考案は、上記問題点を解消する為に成されたものであり、無線ＲＦシステムタグを備える人形を提供する事を目的とするものである。
【課題を解決するための手段】
【０００５】
本考案の主な目的は、一種の無線ＲＦシステムタグを備える人形を提供し、この無線ＲＦシステムタグを備える人形は１つの人形本体と１つの無線ＲＦシステムタグを含む。人形本体は少なくとも１つの素子設置区域を有し、無線ＲＦシステムタグは少なくとも１つの薄膜基板と１つのチップを有する。薄膜基板は１つの上表面、１つの下表面、少なくとも１つのアンテナ、１つの第一接続パッド及び１つの第二接続パッドを有する。チップは薄膜基板の該上表面に設置されて第一接続パッド及び第二接続パッドと電気接続している。無線ＲＦシステムタグは人形本体の素子設置区域に設置される。
【０００６】
本考案の他の目的は、一種の無線ＲＦシステムタグを備える人形を提供し、この無線ＲＦシステムタグを備える人形は更に１つの発光ダイオード（Ｌｉｇｈｔ−Ｅｍｉｔｔｉｎｇ  Ｄｉｏｄｅ，ＬＥＤ）を含む。
【０００７】
本考案の更に他の目的は、一種の無線ＲＦシステムタグを備える人形を提供し、この無線ＲＦシステムタグを備える人形は更に１つの発声器を含む。
【考案の効果】
【０００８】
よって、本考案の無線ＲＦシステムタグを備える人形は、観賞用だけに限定されなく購買力の上昇を可能にし、人形本体の素子設置区域上に設置した無線ＲＦシステムタグを介して人形に実用性の機能を持たせることにより、ＩＣメモリカードの役割を果たすことができ、例えば、プリペイドカード、テレホンカード、クレジットカード、カードキー、カード式電子錠などの代わりに用いることができる。
【０００９】
また、発光ダイオードは薄膜基板の該上表面に設置されて薄膜基板と電気接続しているため、無線ＲＦシステムタグを備える人形は読取装置を介しデータアクセスを行う際に、発光ダイオードは、無線ＲＦシステムタグを備える人形が動作することをユーザに通報するように発光し、無線ＲＦシステムタグのデータが非法にアクセスされること（例えば、重複記帳カード取引或いは盗難や偽造カード被害）を避けることができる。
【００１０】
さらに、発声器は無線ＲＦシステムタグと電気接続し、無線ＲＦシステムタグを備える人形は読取装置を介しデータアクセスを行う際に、発声器は、無線ＲＦシステムタグを備える人形が動作することをユーザに通報するように発声し、無線ＲＦシステムタグのデータが非法にアクセスされること（例えば、重複記帳カード取引或いは盗難や偽造カード被害）を避けることができる。
【考案を実施するための最良の形態】
【００１１】
図１と２に示したものは、本考案の無線ＲＦ（Ｒａｄｉｏ  Ｆｒｅｑｕｅｎｃｙ，  ＲＦ）システムタグを備える人形１００を開示した一実施例であり、該無線ＲＦシステムタグを備える人形１００は、少なくとも１つの人形本体１１０と１つの無線ＲＦシステムタグ１２０とを含むものであり、前記人形本体１１０は、少なくとも１つの素子設置区域１１１を有し、無線ＲＦシステムタグ１２０は素子設置区域１１１に設置される。
【００１２】
前記無線ＲＦシステムタグ１２０は、図２と３に示すように、少なくとも１つの薄膜基板１２１と１つのチップ１２２を含み、該薄膜基板１２１は、１つの上表面１２１ａと、１つの下表面１２１ｂと、少なくとも１つのアンテナ１２１ｃと、１つの第一接続パッド１２１ｄ及び１つの第二接続パッド１２１ｅとを有する。
【００１３】
本実施例において、前記アンテナ１２１ｃ及び第一接続パッド１２１ｄと第二接続パッド１２１ｅは、該上表面１２１ａに形成され、前記チップ１２２は、薄膜基板１２１の該上表面１２１ａに設置されて複数の電気接続素子１２３（例えば、ボンディングワイヤとバンプ）を介して薄膜基板１２１の第一接続パッド１２１ｄ及び第二接続パッド１２１ｅと電気接続している。また、無線ＲＦシステムタグを備える人形１００は、観賞用だけに限定されなく、人形本体１１０の素子設置区域１１１上に設置した無線ＲＦシステムタグ１２０を介して人形に実用性の機能を持たせることにより、ＩＣメモリカードの役割を果たすことができ、例えば、プリペイドカード、テレホンカード、クレジットカード、カードキー、カード式電子錠などの代わりに用いることができる。
【００１４】
また、本実施例で示した本考案の無線ＲＦシステムタグを備える人形１００の人形本体１１０には、図４に示すように、更に１つの内壁１１２と１つの外壁１１３を有する。そして、前記無線ＲＦシステムタグ１２０は素子設置区域１１１に設置され、更に１つの接着剤１３０を介して人形本体１１０の内壁１１２に直接に貼付けられることができる。
【００１５】
さらに本実施例において、無線ＲＦシステムタグ１２０は、前記薄膜基板１２１の下表面１２１ｂが内壁１１２に向かうように人形本体１１０の内壁１１２に貼付けられている。
【００１６】
さらにまた、前記無線ＲＦシステムタグ１２０には、図２、図３及び図４を示すように、１つの発光ダイオード１２４（Ｌｉｇｈｔ−Ｅｍｉｔｔｉｎｇ  Ｄｉｏｄｅ，  ＬＥＤ）を含んだものであってもよい。
【００１７】
前記発光ダイオード１２４は、前記無線ＲＦシステムタグ１２０の薄膜基板１２１における上表面１２１ａに設置されて薄膜基板１２１と電気接続している。
【００１８】
本考案の無線ＲＦシステムタグを備える人形１００は、１つの読取装置（図示せず）を介してデータアクセスを行う際に、前記発光ダイオード１２４は、無線ＲＦシステムタグ１２０と読取装置によって電磁結合共振を起こして発光し、この発光により無線ＲＦシステムタグを備える人形１００が動作することをユーザに通報するようにし、無線ＲＦシステムタグ１２０のデータが非法にアクセスされること（例えば、重複記帳カード取引或いは盗難や偽造カード被害）を避けることができる。
【００１９】
また、図４に示すように、前記無線ＲＦシステムタグ１２０は更に１つの発声器１２５（例えばラッパ）を含んでもよく、該発声器１２５は薄膜基板１２１と電気接続している。
【００２０】
よって、無線ＲＦシステムタグを備える人形１００は、読取装置（図示せず）を介してデータアクセスを行う際に、前記発声器１２５で無線ＲＦシステムタグを備える人形１００が動作することをユーザに通報するように発声して、無線ＲＦシステムタグ１２０のデータが非法にアクセスされること（例えば、重複記帳カード取引或いは盗難や偽造カード被害）を避けることができる。
【００２１】
本実施例において、前記無線ＲＦシステムタグ１２０が人形本体１１０の内壁１１２に設置される場合、人形本体１１０の材質を光が透過できる材料にすればよい。
【００２２】
或いは、前記人形本体１１０は、内壁１１２と外壁１１３を貫通する少なくとも１つのスルーホール１１４を有し、発光ダイオード１２４が照射する光と発声器１２５が出す音はスルーホール１１４を通過して人形本体１１０の外部に伝えられる。
【００２３】
図５に示したものは、本考案の第二実施例を示したものであり、無線ＲＦシステムタグ１２０は、薄膜基板１２１の下表面１２１ｂが外壁１１３に向かうように人形本体１１０の外壁１１３に貼付けられ、更に保護用として１つの封止部材１４０で密封され、封止部材１４０の材質を光が透過できる材料にしている。
【００２４】
図６に示したものは、本考案の第三実施例を示したものであり、人形本体１１０の素子設置区域１１１には１つの収容溝部１１１ａを有し、該収容溝部１１１ａは人形本体１１０の外壁１１３に形成されている。
【００２５】
前記無線ＲＦシステムタグ１２０は、前記収容溝部１１１ａの内に設置されているものであり、具体的には、前記無線ＲＦシステムタグ１２０における薄膜基板１２１の下表面１２１ｂが接着剤１３０で収容溝部１１１ａの内に貼付けられる。
【００２６】
前記封止部材１４０は、前記収容溝部１１１ａの内に形成されて無線ＲＦシステムタグ１２０を密封し、且つ光が透過できる材質を採用して形成される。そしてこの封止部材１４０の１つの露出面１４１は外壁１１３と一列に並んでいる。
【００２７】
図７に示したものは、本考案の第四実施例を示したものであり、人形本体１１０の収容溝部１１１ａは人形本体１１０の内壁１１２に形成され、そして、接着剤１３０を用い無線ＲＦシステムタグ１２０を収容溝部１１１ａの内に設置している。
【００２８】
図８に示したものは、本考案の第五実施例を示したものであり、無線ＲＦシステムタグ１２０における薄膜基板１２１の上表面１２１ａは内壁１１２に向かい、且つ人形本体１１０のスルーホール１１４は無線ＲＦシステムタグ１２０の発光ダイオード１２４に照準を合わせることにより、発光ダイオード１２４が照射する光はスルーホール１１４を通過することができる。
【００２９】
図９に示したものは、本考案の第六実施例を示したものであり、収容溝部１１１ａが人形本体１１０の内壁１１２に形成され、スルーホール１１４は収容溝部１１１ａの底部に形成されている。
【００３０】
接着剤１３０を用い無線ＲＦシステムタグ１２０を収容溝部１１１ａの内に貼付けて、且つ人形本体１１０のスルーホール１１４は無線ＲＦシステムタグ１２０の発光ダイオード１２４に照準を合わせる。
【００３１】
図１０に示したものは、本考案の第七実施例を示したものであり、一種の無線ＲＦシステムタグを備える人形２００は、少なくとも１つの人形本体２１０と１つの無線ＲＦシステムタグ２２０とを含み、該人形本体２１０は、少なくとも１つの素子設置区域２１１を有する。
【００３２】
本実施例において、人形本体２１０は密で堅い材質を採用して作成され、１つの第一本体部２１０ａと１つの第二本体部２１０ｂを含む。
【００３３】
素子設置区域２１１は人形本体２１０の第一本体部２１０ａに位置し、無線ＲＦシステムタグ２２０は素子設置区域２１１に設置されて第一本体部２１０ａと第二本体部２１０ｂとの間に覆われている。
【００３４】
以上、本考案をその好適な実施例に基づいて説明したが、本考案の保護範囲は実用新案登録請求の範囲に限定されるものであり、この保護範囲を基準として、本考案の精神と範囲内に触れるどんな変更や修正も本考案の保護範囲に属する。
【図面の簡単な説明】
【００３５】
【図１】本考案の１つの実施例により、一種の無線ＲＦシステムタグを備える人形の人形本体を示す正面図である。
【図２】本考案の１つの実施例により、その無線ＲＦシステムタグを備える人形の無線ＲＦシステムタグを示す正面図である。
【図３】本考案の１つの実施例により、その無線ＲＦシステムタグを備える人形の無線ＲＦシステムタグを示す断面図である。
【図４】本考案の第一実施例により、その無線ＲＦシステムタグを備える人形を示す断面図である。
【図５】本考案の第二実施例により、その無線ＲＦシステムタグを備える人形を示す断面図である。
【図６】本考案の第三実施例により、他種の無線ＲＦシステムタグを示す断面図である。
【図７】本考案の第四実施例により、その無線ＲＦシステムタグを備える人形を示す断面図である。
【図８】本考案の第五実施例により、その無線ＲＦシステムタグを備える人形を示す断面図である。
【図９】本考案の第六実施例により、その無線ＲＦシステムタグを備える人形を示す断面図である。
【図１０】本考案の第七実施例により、他種の無線ＲＦシステムタグを備える人形を示す断面図である。
【符号の説明】
【００３６】
１００    無線ＲＦシステムタグを備える人形
１１０    人形本体
１１１    素子設置区域
１１１ａ  収容溝部
１１２    内壁
１１３    外壁
１１４    スルーホール
１２０    無線ＲＦシステムタグ
１２１    薄膜基板
１２１ａ  上表面
１２１ｂ  下表面
１２１ｃ  アンテナ
１２１ｄ  第一接続パッド
１２１ｅ  第二接続パッド
１２２    チップ
１２３    電気接続素子
１２４    発光ダイオード
１２５    発声器
１３０    接着剤
１４０    封止部材
１４１    露出面
２００    無線ＲＦシステムタグを備える人形
２１０    人形本体
２１０ａ  第一本体部
２１０ｂ  第二本体部
２１１    素子設置区域
２２０    無線ＲＦシステムタグ
【図１】
0003146188.tif 000003
【図２】
0003146188.tif 000004
【図３】
0003146188.tif 000005
【図４】
0003146188.tif 000006
【図５】
0003146188.tif 000007
【図６】
0003146188.tif 000008
【図７】
0003146188.tif 000009
【図８】
0003146188.tif 000010
【図９】
0003146188.tif 000011
【図１０】
0003146188.tif 000012